(57)【要約】【課題】血糖が測定される場所において、測定作業を容易ならしめるケースを提供する。【解決手段】ケース１０は、ケース１０の外面側に設けられており、血糖測定装置１１が収容された状態のケース１０を、壁３０に対して固着及び離間を繰り返すことを可能とするマグネット２１と、ケース１０の内面側に設けられており、ケース１０が開かれた状態において、血糖測定装置１１を、ディスプレイ１７を視認可能とし、且つ操作キー１８を操作可能に固定する固定バンド２３部材とを具備する。【選択図】図２
2011095158.tif 000002
【特許請求の範囲】
【請求項１】
携帯型の血糖測定装置を収容可能なケースであって、
当該ケースの外面側に設けられており、血糖測定装置が収容された状態の当該ケースを、壁に対して固着及び離間を繰り返すことを可能とする第１固定部材と、
当該ケースの内面側に設けられており、当該ケースが開かれた状態において、上記血糖測定装置を、その表示部を視認可能とし、且つその操作部を操作可能に固定する第２固定部材と、を具備する血糖測定装置用ケース。
【請求項２】
上記第２固定部材は、上記血糖測定装置が上記壁に沿っており、かつ上記血糖測定装置における血液導入部分が当該ケースの外側へ突出する姿勢に、上記血糖測定装置を固定可能なものである請求項１に記載の血糖測定装置用ケース。
【請求項３】
上記第１固定部材が、マグネットを有するものである請求項１又は２に記載の血糖測定装置用ケース。
【請求項４】
上記第１固定部材が、吸盤を有するものである請求項１又は２に記載の血糖測定装置用ケース。
【請求項５】
上記第１固定部材が、吸着性樹脂を有するものである請求項１又は２に記載の血糖測定装置用ケース。
【請求項６】
さらに、少なくとも、血糖測定装置用センサ、ランセット及びランセット用針が収容可能である請求項１から５のいずれかに記載の血糖測定装置用ケース。
【発明の詳細な説明】
【技術分野】
【０００１】
本発明は、携帯型の血糖測定装置を収容可能なケースに関する。
【背景技術】
【０００２】
近年、糖尿病の患者が各国において増加している。糖尿病の治療としては、例えば、インスリン療法がある。インスリンは血糖値をコントロールする薬物として知られており、糖尿病の治療薬として糖尿病患者に投与されている。インスリンを投与する必要性は、糖尿病患者の血糖値に基づいて判断される。このため、糖尿病患者にとって、血糖値の把握が重要である。血糖値とは、血液中のグルコース濃度である。糖尿病患者自らが自分の血糖値を簡易に測定できることを目的として、簡易な血糖測定装置が開発されている。
【０００３】
前述された血糖測定装置は、バイオセンサと本体とに大別される。バイオセンサは、血糖と反応する酵素が固定された電極を有する。血糖値の測定に用いられる酵素として、グルコースオキシターゼ（以下、「ＧＯＤ」と略されることがある。）やグルコースデヒドロゲナーゼ（以下、「ＧＤＨ」と略されることがある。）が知られている。バイオセンサにおいて、酵素が固定された電極が作用極と称され、試料中に電子を供給する電極が対極と称される。
【０００４】
試料である血液がバイオセンサに導入され、その血液中のグルコースに作用極のＧＯＤが反応すると、グルコースがグルコン酸及び過酸化水素に分解され、その過酸化水素が水及び電子に分解される。このようにして発生した電子が作用極に伝達される。一方、対極からは血液中に電子が供給される。このようにして、ＧＯＤとグルコースとの反応によって、作用極と対極との間に電流が流れる。バイオセンサが装着された本体において、バイオセンサの作用極と対極との間に流れた電流値に基づいて、血液中のグルコース濃度、つまり血糖値が算出される。
【０００５】
バイオセンサは血糖が測定される毎に、新たなものが本体に装着される。そして、血糖の測定が終わった後に廃棄される。つまり、バイオセンサはディスポーザブル品である。したがって、バイオセンサは、複数が容器に保存されて患者に携帯される。また、患者が自己の血液を採取するために、ランセットも血糖測定装置と共に携帯されることが多い。このランセットにおいても、血液が採取される毎に針が交換されるので、複数の針が容器に保存されて患者に携帯される。
【０００６】
前述されたように、糖尿病患者自らが自分の血糖値を測定するためには、複数の装置やディスポーザブル品などを携帯する必要があるので、これらがケースに一まとめに収容されて携帯されることが多い（特許文献１，２）。また、患者が血糖を測定するときには、他人の視線を気にすることから、トイレなどの個室空間を利用することが多い。
【先行技術文献】
【特許文献】
【０００７】
【特許文献１】特開２００８−６７９１０号公報
【特許文献２】特開２００４−９７５６１号公報
【発明の概要】
【発明が解決しようとする課題】
【０００８】
糖尿病患者が血糖値を測定するときに、トイレのような個室空間においては、ケースや装置などを載置する所が少ないという問題がある。例えば、バイオセンサを容器から取り出して血糖測定装置に装着し、一方で、ランセットに針を装着して指や腕などから血液を採取し、その血液をバイオセンサに導入するという作業が行われるが、これら作業を机や台などを用いずに行うことは困難である。これに対して、特許文献２には、ケースに掛け紐が設けられ、その掛け紐によってつり下げられた状態のケースの一面が水平となるようにケースが開口される構成が開示されている。
【０００９】
しかしながら、トレイなどの個室空間に、掛け紐を引っ掛けるフックなどが必ず装備されているとは限らないので、フックなどが無い場合には、フックの代用となり得る突出部分などを探す必要がある。また、仮にフックの代用となる突出部分があったとしても、必ずしも、作業に適した高さ位置にケースを吊り下げられるとは限らない。また、吊り下げられたケースは、左右に振り子のように揺れ動き得る状態にあるので、作業の際にケースが揺れ動いて作業が行い難かったり、ケースの水平な面が揺れ動いて装置やディポーザブル品が落下するおそれがあったりする。
【００１０】
本発明は、前述された事情に鑑みてなされたものであり、その目的は、血糖が測定される場所において、測定作業を容易ならしめるケースを提供することにある。
【課題を解決するための手段】
【００１１】
(1)  本発明は、携帯型の血糖測定装置を収容可能なケースであって、当該ケースの外面側に設けられており、血糖測定装置が収容された状態の当該ケースを、壁に対して固着及び離間を繰り返すことを可能とする第１固定部材と、当該ケースの内面側に設けられており、当該ケースが開かれた状態において、上記血糖測定装置を、その表示部を視認可能とし、且つその操作部を操作可能に固定する第２固定部材と、を具備する。
【００１２】
糖尿病患者が血糖を測定するトイレなどの個室空間において、ケースの外面が第１固定部材によって壁に固着される。ケースは、壁に固着される前後において、収容されている血糖測定装置を操作したり、センサなどを取り出したりすることが可能なように開かれる。第２固定部材が血糖測定装置を固定しているので、ケースが開かれても、血糖測定装置がケースから床に落下することがない。
【００１３】
血糖測定装置にセンサが装着されて、センサに血液が導入されると、血糖測定装置が血糖を測定する。この測定作業において、血糖測定装置の操作部は、第２固定部材によって固定されたままで操作可能である。また、血糖測定装置の表示部は、第２固定部材によって固定されたままで視認可能である。したがって、測定作業に際して、血糖測定装置を第２固定部材から取り外す必要がない。
【００１４】
(2)  上記第２固定部材は、上記血糖測定装置が上記壁に沿っており、かつ上記血糖測定装置における血液導入部分が当該ケースの外側へ突出する姿勢に、上記血糖測定装置を固定可能なものであってもよい。
【００１５】
血糖測定装置の血液導入部分は、例えば、ディスポーザブル品であるセンサに設けられている。このセンサは、血糖測定に際して本体に装着され、測定後に取り外されるものである。したがって、センサのみがケースから外側へ突出するように、血糖測定装置がケース内において第２固定部材に固定されることによって、ケースの開閉に際して、血糖測定装置を移動させる必要がない。また、センサの血液導入部分に血液を導入するに際して、センサがケースの外側へ突出されているので、センサ周りの空間が広くなり、血液を導入させる作業が容易となる。
【００１６】
(3)  上記第１固定部材として、マグネットを有するものが挙げられる。
【００１７】
(4)  上記第１固定部材として、吸盤を有するものが挙げられる。
【００１８】
(5)  上記第１固定部材として、吸着性樹脂を有するものが挙げられる。吸着性樹脂としては、例えば、ウレタンエラストマーやニトリルゴム、シリコンゴム、ポリウレタンゴム、フッ素ゴムなどが挙げられる。
【００１９】
(6)  本発明に係る血糖測定装置用ケースは、さらに、少なくとも、血糖測定装置用センサ、ランセット及びランセット用針が収容可能なものであってもよい。
【００２０】
これにより、血糖の測定に必要な部材がケースに一まとめに収容されるので、携帯性が向上される。
【発明の効果】
【００２１】
本発明によれば、第１固定部材によって、トイレなどの個室空間の壁にケースが固着され、第２固定部材によって、開かれた状態のケースにおいて血糖測定装置が固定され、かつ、血糖測定装置の操作部の操作及び表示部の視認が可能となるので、血糖測定装置をケースから床に落下させることなく、血糖測定作業を容易に行うことができる。
【図面の簡単な説明】
【００２２】
【図１】図１は、本発明の実施形態に係るケース１０が閉じられた状態の外観を示す斜視図である。
【図２】図２は、ケース１０が開かれた状態の外観を示す平面図である。
【図３】図３は、ケース１０の使用状態を示す図であり、ケース１０は図２におけるIII-III断面が示されている。
【発明を実施するための形態】
【００２３】
以下に、適宜図面が参照されて、本発明の好ましい実施形態が説明される。なお、以下に説明される各実施形態は本発明の一例にすぎず、本発明の要旨を変更しない範囲で、本発明の実施形態が適宜変更できることは言うまでもない。
【００２４】
［ケース１０の構成］
図１に示されるように、ケース１０は、ジッパ１４により開閉可能な袋形状のものである。ケース１０の外形は、薄平な直方体形状であり、内側に空間を有する。ケース１０の内部空間の大きさは、後述される血糖測定装置１１やセンサ収容ケース１２、ランセット本体１３などが収容可能な大きさであればよい。ジッパ１４が開かれることにより、内部空間へアクセス可能となる。ジッパ１４が閉じられると、内部空間へアクセス不能となり、収容された部材がケース１０外へ飛び出すことがない。
【００２５】
ケース１０の素材は、特に限定されず、布や合成樹脂、金属などが広く採用され得るが、収容されている血糖測定装置１１等を外部からの衝撃に対して保護する目的のために、クッション性を有する部材が用いられたり、内部側に緩衝部材として設けられることが好ましい。また、ケース１０の開閉方式もジッパに限定されず、掛け金や紐などが広く採用され得る。
【００２６】
図１及び図３に示されるように、ケース１０には、マグネット２１が埋め込まれている。マグネット２１は、ケース１０の外面２０側に対して磁力を発生させており、外面２０に接する磁性体に磁着可能である。このマグネット２１が、本発明における第１固定部材に相当する。なお、各図には現れていないが、マグネット２１は、ケース１０の反対側の外面２０側にも更に設けられていてもよい。
【００２７】
図１に示されるように、ジッパ１４は、ケース１０の４つの側面における３つの側面に沿って設けられている。図２に示されるように、ジッパ１４が開かれることによって、ケース１０が展開されるように開くことが可能となる。
【００２８】
ケース１０の内部においては、血糖測定装置１１等が所定の位置に固定され得る。血糖測定装置１１等が固定される位置は、各装置や部材の大きさなどを考慮して適宜設定され得るものであるが、血糖測定装置１１は、後述されるように、装着されたセンサ１５がケース１０の外側へ飛び出すように配置されている。本実施形態においては、展開されたケース１０の一方に、血糖測定装置１１、センサ収容ケース１２及びランセット本体１３が固定される。また、展開されたケース１０の他方には、ポケット２２が設けられており、同図には現れていないが、ポケット２２にランセット用針や消毒用不織布などが収容されている。ポケット２２は、ランセット用針などがこぼれ落ちないように、ジッパやボタンなどによって開口が封止され得る。
【００２９】
血糖測定装置１１、センサ収容ケース１２及びランセット本体１３は、公知のものが広く採用され得るので本明細書においては詳細な説明が省略されるが、血糖測定装置１１は、センサ１５が装着されて使用されるものである。センサ１５は、電極に酵素が固定された所謂バイオセンサであり、血糖の測定毎に血糖測定装置１１に装着され、測定後には廃棄される。センサ１５は、一般的には細長なシート形状である。センサ収容ケース１２は、開閉可能な容器であり、その内部に複数のセンサ１５が収容されている。
【００３０】
図２に示されるように、血糖測定装置１１は、その一端側にセンサ１５が装着される装着部１６を有する。血糖測定装置１１は、装着部１６がケース１０の縁近くであって、装着部１６に装着されたセンサ１５の血液導入口１９（図３参照）がケース１０の外側へ突出する位置に配置されている。センサ１５がケース１０から飛び出す位置は特に限定されないので、装着部１６は、ジッパ１４が設けられている縁近くのいずれに配置されていてもよい。センサ１５の血液導入口１９が、本発明における血液導入部分に相当する。
【００３１】
血糖測定装置１１は、ディスプレイ１７及び操作キー１８を有する。ケース１０において、血糖測定装置１１は、ディスプレイ１７が視認可能であり、かつ操作キー１８を操作可能な状態で固定されている。詳細には、ケース１０には、透光性を有する固定バンド２３が設けられている。固定バンド２３は、ケース１０の内面と共に環をなしている。固定バンド２３によって形成された環の内側に、血糖測定装置１１が挿入されている。固定バンド２３による環の大きさは、血糖測定装置１１の外周より若干小さい。したがって、固定バンド２３に対して血糖測定装置１１が圧入されている。血糖測定装置１１は、その外周面が固定バンド２３の内面と圧接することによって、それらの間に生じる摩擦力によって固定されている。固定バンド２３による固定によって、血糖測定装置１１は、ケース１１が如何なる姿勢にされても、ケース１０から脱落することがない。ディスプレイ１７が、本発明における表示部に相当し、操作キー１８が本発明における操作部に相当する。
【００３２】
固定バンド２３は、血糖測定装置１１のディスプレイ１７を覆っているが、透光性によって、固定バンド２３を通じてディスプレイ１７が視認可能である。また、固定バンド２３は、操作キー１８を覆っていない。したがって、固定バンド２３に血糖測定装置１１が固定された状態において、操作キー１８は、直接に押されることによって操作可能となっている。この固定バンド２３が、本発明における第２固定部材に相当する。
【００３３】
ケース１０の内面には、固定バンド２４，２５がそれぞれ設けられている。固定バンド２４，２５は、ケース１０の内面と共に各々が環をなしている。固定バンド２４，２５は、その環の周方向に対して伸縮可能なゴムバンドである。固定バンド２４により形成される環の大きさは、センサ収容ケース１２を固定するに適した大きさである。固定バンド２５により形成される環の大きさは、ランセット本体１３を固定するに適した大きさである。
【００３４】
［ケース１０の使用方法］
以下に、ケース１０の使用方法が説明される。前述されたように、ケース１０には、血糖測定装置１１、センサ収容ケース１２、ランセット本体１３及びランセット針が収容されている。ケース１０は、ジッパ１４が閉じられた状態で持ち運びされる。ケース１０により、血糖測定に必要な血糖測定装置１１などの複数の部材が一まとめに収容される。
【００３５】
血糖を測定するためのトイレなどの個室空間において、ケース１０のジッパ１４が開かれる。これにより、図２に示されるように、ケース１０が展開される。ケース１０が展開されても、固定バンド２３，２４，２５や開口が封止されたポケット２２によって、ケース１０に収容されている血糖測定装置１１などが床へ落下することがない。
【００３６】
図３に示されるように、トイレなどの個室空間の壁３０において鉄などの磁性体が用いられている箇所に、ケース１０の外面２０が接触される。これにより、マグネット２１が壁３０に磁着して、壁３０に対してケース１０が展開された状態で固定される。このとき、
血糖測定装置１１が壁３０に沿ってディスプレイ１７及び操作キー１８が室内側を向いており、かつ血糖測定装置１１の装着部１６が下側となるようにケース１０が壁３０に固着されることが好ましい。
【００３７】
壁３０に固着されたケース１０の固定バンド２４からセンサ収容ケース１２が取り外されて、センサ収容ケース１２から１つのセンサ１５が取り出される。センサ１５が取り出された後のセンサ収容ケース１２は、再び固定バンド２４に固定される。そして、取り出されたセンサ１５が、血糖測定装置１１の装着部１６に装着される。これにより、図３に示されるように、ケース１０から下側へセンサ１５が飛び出した状態となる。なお、センサ５の着脱において、血糖測定装置１１は固定バンド２３から外されたり、移動される必要はない。
【００３８】
壁３０に固着されたケース１０の固定バンド２５からランセット本体１３が取り外される。また、ポケット２２の開口が開かれてランセット用針が取り出される。ランセット本体１３にランセット用針が装着されて使用されることによって、患者の腕や指などから血液が滲み出る。なお、ランセット本体１３は、片手だけで操作可能である。患者は、腕や指などを、センサ１５に近づけて、滲み出た血液をセンサ１５の血液導入口１９に導入させる。センサ１５の血液導入口１９がケース１０の外側に飛び出しているので、血液導入口１９の周りには、センサ収容ケース１２などが存在しない。したがって、任意の方向からセンサ１５に腕や指などを近づけることができる。
【００３９】
血液導入口１９に血液が導入されると、血糖測定装置１１が血糖を測定する。この測定作業において、血糖測定装置１１の操作キー１８は、固定バンド２３に固定されたままで操作可能である。また、血糖測定装置１１のディスプレイ１７は、固定バンド２３に固定されたままで視認可能である。したがって、血糖測定作業に際して、血糖測定装置１１を固定バンド２３から取り外すことなく、血糖測定を行って測定値を確認することができる。なお、血糖測定装置１１において、センサ１５に血液が導入されたことを検知して自動的に血糖測定が開始されるのであれば、測定開始に際して操作キー１８が操作されることがないが、測定値の保存や電源オフに際しても、血糖測定装置１１を固定バンド２３から取り外すことなく操作キー１８が操作される。
【００４０】
測定が終了すると、ランセット本体１３からランセット用針が取り外されて、ランセット本体１３が再び固定バンド２４に固定される。また、血糖測定装置１１からセンサ１５が取り外される。使用後のセンサ１５やランセット用針は、ポケット２２に収容してもよい。そして、壁３０からケース１０が引き剥がされる。ケース１０は、壁３０とマグネット２１により磁着されているので、壁３０に対して固着と離間とを繰り返し行うことができる。そして、ジッパ１４が閉じられて、ケース１０に血糖測定装置１１などが一まとめに収容される。
【００４１】
［本実施形態の作用効果］
前述されたケース１０によれば、マグネット２１によって、トイレなどの個室空間の壁３０にケース１０が固着され、固定バンド２３によって、開かれた状態のケース１０において血糖測定装置１１が固定され、かつ、血糖測定装置１１のディスプレイ１７が視認可能となり、かつ操作キー１８が操作可能となるので、血糖測定装置１１をケース１０から床に落下させることなく、血糖測定作業を容易に行うことができる。
【００４２】
また、センサ１５のみがケース１０から外側へ突出するように、血糖測定装置１１がケース１０内において固定バンド２３に固定されているので、ケース１０の開閉に際して、血糖測定装置１１を移動させる必要がない。また、センサ１５の血液導入口１９に血液を導入するに際して、センサ１５がケース１０の外側へ突出されているので、センサ１５周りの空間が広くなり、血液を導入させる作業が容易となる。
【００４３】
［変形例］
なお、前述された実施形態では、本発明における第１固定部材として、マグネット２１が採用されているが、マグネット１１に代えて、吸盤がケース１０の外面２０に設けられてもよい。これにより、壁３０において磁性が無い箇所であっても、ケース１０を固着することができる。また、マグネット１１に代えて、ウレタンエラストマーやニトリルゴム、シリコンゴム、ポリウレタンゴム、フッ素ゴムのような吸着性樹脂が外面２０に設けられてもよい。
【符号の説明】
【００４４】
１０・・・ケース
１１・・・血糖測定装置
１３・・・ランセット本体
１７・・・ディスプレイ（表示部）
１８・・・操作キー（操作部）
１９・・・血液導入口
２０・・・外面
３０・・・壁
２１・・・マグネット（第１固定部材）
２３・・・固定バンド（第２固定部材）
【図１】
2011095158.tif 000003
【図２】
2011095158.tif 000004
【図３】
2011095158.tif 000005